(57)【要約】【課題】使用中に電球が破裂したとしても、３ｍｍ以下の微細な破片が外部へ飛散することのないよう、その破片の飛散を反射器内にて防止することができる新規なスポットライトを提供する。【解決手段】反射器６内に備えられたガラス製の飛散防止カバー５内に電球４が収容されるので、使用中に電球４が破裂したとしても、その破片は飛散防止カバー５に捕捉される。よって、微細な破片であっても投光開口部３ａ，カッター摺動用スリット１０などを介して灯体ａ外部へ飛散する虞れがなく、劇場舞台、テレビスタジオ、展示会場、宴会場、アミューズメントパーク等の各種演出空間での使用に適した安全性の高いスポットライトとすることができた。【選択図】  図１
2005166407.tif 000002
【特許請求の範囲】
【請求項１】
少なくとも灯体内に、電球と、該電球が発する光を前方へ反射する反射器を有するスポットライトであって、前記電球が収容されるガラス製の飛散防止カバーを前記反射器内に着脱自在に備えたことを特徴とするスポットライト。
【請求項２】
前記反射器がエリプソイダル型又はパラボラ型の反射鏡からなり、該反射器後端の頂部開口の後方に配したソケットに前記電球を装着して、該電球のバルブ部を前記反射器内に臨ませると共に、前記飛散防止カバーを、前記電球のバルブ部が収容される筒状体で、且つ先端側を閉塞すると共に後端側に放熱用の開口部を備えるよう形成したことを特徴とする請求項１記載のスポットライト。
【請求項３】
前記飛散防止カバーが取り付け具により前記反射器に着脱可能に装着されており、該飛散防止カバー後端の放熱用の開口部と前記反射器後端の頂部開口との間に放熱用の隙間が確保されていることを特徴とする請求項２記載のスポットライト。
【請求項４】
前記飛散防止カバーが、その後端を前記反射器後端の頂部開口に着脱可能に挿入して該反射器に直接装着されると共に、該飛散防止カバーの後部に、前記反射器の内部空間に臨む放熱用のスリットが形成されていることを特徴とする請求項２記載のスポットライト。
【請求項５】
前記電球が白熱電球であり、該白熱電球と前記反射器を備えたランプハウスの前方に、アパーチャ部を通過する光を任意枠形にカットする所要数のカッター羽根を収容したカッター機構部を配すると共に、該カッター機構部の前方に一又は複数のレンズを収容するレンズ筒を配したことを特徴とする請求項１〜４の何れか１項記載のスポットライト。
【請求項６】
反射器内に臨む電球のバルブ部が収容される円筒体に形成された飛散防止カバーであって、前記円筒体は先端側を半球状に閉塞すると共に後端側に放熱用の開口部を備え、前記反射器に着脱自在に装着されることを特徴とするスポットライトの電球用飛散防止カバー。
【発明の詳細な説明】
【技術分野】
【０００１】
本発明は、劇場舞台、テレビスタジオ、展示会場、宴会場、アミューズメントパーク等の各種演出空間で使用されるスポットライトの改良に関し、詳しくは、この種スポットライトの内部に装着される電球の飛散防止構造に関する。
【背景技術】
【０００２】
従来から、電球と反射器を内蔵するランプハウスの前方にカッター機構部を配し、該カッター機構部の前方に一又は複数のレンズを内蔵するレンズ筒を配し、電球として高容量（５００Ｗ〜１ｋＷ程度）の白熱電球を用いて、例えば舞台上の役者に遠方からスポット光を照射し得るよう構成されたスポットライトが知られている。
【０００３】
ところで、この種スポットライトは、使用時に電球が破裂したとしてもその破片が飛散しない構造とするようＪＩＳ規格に規定されており、具体的には、「投光開口部から３ｍｍ以上の破片が落下しない構造にしなければならない」「他のすべての開口部は、破裂したランプの部分が直接に器具から出てゆかない構造にしなければならない」「網目の開きが８ｍｍ以下の網やラビリンス（迷路）で覆われた開口部は、上記の直接経路（直接器具外に飛散する開放部）の要求事項を満たしているものとみなす」などの規定が、ＪＩＳ
Ｃ  ８１０５−２−１７  に記載されている。
【０００４】
このような規定を満たすために、従来のスポットライトにおいては、例えば特許文献１に開示されるように、投光開口部（灯体先端部）に、金網を配した飛散防止構造が用いられている。
【０００５】
しかし、この種スポットライトは通常、高所に設置され投光開口部が下向きになる状態で使用されるので、使用中に電球が破裂した場合、３ｍｍ以下の微細な破片が網目から落下する虞れが無いとは言えず、特に、劇場客席、展示会場、宴会場、アミューズメントパークのような、設置場所の下方に多数の見物人や招待者などが存在する状況下では、より安全性の高い構造が要求されている。
【０００６】
このような要求に対応するために、前記金網に代えて透明ガラス板により投光開口部を塞ぐことも考えられる（例えば特許文献２参照）が、スポットライトは前記したように、ランプハウスの前方にカッター機構部を備え、該カッター機構部は、所要数のカッター羽根を摺動させるためのスリットが灯体の周方向に沿って複数形成されているので、破裂した電球の微細な破片がそのスリットから落下する虞れが無いとは言えなかった。
【０００７】
また、特許文献３には、電球を挿入した反射鏡からなる反射器（後端側に頂部開口を有すると共に前面を開口する楕円反射鏡からなる反射器）の前面開口を透明シールド板で塞いだ所謂シールドビームタイプの電球が開示されており、特許文献４には、内部バルブを外球ガラス管に収納した所謂二重管型の電球が開示されている。
このシールドビームタイプ型の電球においては、ランプを交換する毎に反射鏡まで交換することになり、さらに、特殊な形状の電球であるため、専用の照明装置に使用され、主に投光ビームを見せるために用いられている。また、二重管型の電球は、高容量（５００Ｗ以上）を求められるスポットライト用電球としては不適当である。
そして、いずれの電球も既存のスポットライトへの組み込みが困難であるという問題があり、電球自体に反射鏡と透明シールドや外球ガラス管が装備されているため高価な電球になるという問題がある。
【０００８】
【特許文献１】特開２００１−３０７５３２号公報
【特許文献２】特開平１０−６４３１７号公報
【特許文献３】特開２００１−７６５０５号公報
【特許文献４】特開平６−３１０１０９号公報
【発明の開示】
【発明が解決しようとする課題】
【０００９】
本発明は上述したような従来事情に鑑みてなされたもので、その目的とする処は、使用中に電球が破裂したとしても、３ｍｍ以下の微細な破片が、灯体先端の投光開口部、灯体周面の放熱用やカッター羽根摺動用のスリットなどを通って外部へ飛散することのないよう、その破片の飛散を反射器内にて防止することができ、既存のスポットライトの構造を変更することなく容易に取り付け、取り外しすることができる新規な飛散防止構造を提供することにある。
【課題を解決するための手段】
【００１０】
以上の目的を達成するために、本発明に係るスポットライトは、請求項１記載のように、少なくとも灯体内に、電球と、該電球が発する光を前方へ反射する反射器を有するスポットライトであって、前記電球が収容されるガラス製の飛散防止カバーを前記反射器内に着脱自在に備えたことを特徴とする。
【００１１】
請求項２では、前記反射器がエリプソイダル型又はパラボラ型の反射鏡からなり、該反射器後端の頂部開口の後方に配したソケットに前記電球を装着して、該電球のバルブ部を前記反射器内に臨ませると共に、前記飛散防止カバーを、前記電球のバルブ部が収容される筒状体で、且つ先端側を閉塞すると共に後端側に放熱用の開口部を備えるよう形成したことを特徴とする。
【００１２】
請求項３では、前記飛散防止カバーが取り付け具により前記反射器に着脱可能に装着されており、該飛散防止カバー後端の放熱用の開口部と前記反射器後端の頂部開口との間に放熱用の隙間が確保されていることを特徴とする。
【００１３】
請求項４では、前記飛散防止カバーが、その後端を前記反射器後端の頂部開口に着脱可能に挿入して該反射器に直接装着されると共に、該飛散防止カバーの後部に、前記反射器の内部空間に臨む放熱用のスリットが形成されていることを特徴とする。
【００１４】
請求項５では、前記電球が白熱電球であり、該白熱電球と前記反射器を備えたランプハウスの前方に、アパーチャ部を通過する光を任意枠形にカットする所要数のカッター羽根を収容したカッター機構部を配すると共に、該カッター機構部の前方に一又は複数のレンズを収容するレンズ筒を配したことを特徴とする。
【００１５】
また、本発明に係るスポットライトの電球用飛散防止カバーは、請求項６記載のように、反射器内に臨む電球のバルブ部が収容される円筒体に形成された飛散防止カバーであって、前記円筒体は先端側を半球状に閉塞すると共に後端側に放熱用の開口部を備え、前記反射器に着脱自在に装着されることを特徴とする。
【発明の効果】
【００１６】
本発明は以上説明したように構成したので、以下の効果を奏する。
（請求項１）
反射器内に備えられた飛散防止カバー内に電球が収容されるので、使用中に万一電球が破裂したとしても、その破片は防爆カバーに捕捉される。よって、３ｍｍ以下の微細な破片であっても、投光開口部，放熱用やカッター羽根摺動用のスリットなどを介して灯体外部へ飛散する虞れがなく、劇場舞台、テレビスタジオ、展示会場、宴会場、アミューズメントパーク等の各種演出空間での使用に適した安全性の高い新規な照明装置を提供することができた。
【００１７】
（請求項２）
請求項１による前述の効果に加え、発光時の電球の熱を飛散防止カバー後端の放熱用開口部から逃がすことができるので、エリプソイダル型又はパラボラ型の反射鏡からなる反射器内に電球のバルブ部が固定されるスポットライトに好適に対応することができる。
【００１８】
（請求項３）
請求項１、２による前述の効果に加え、発光時の電球の熱を、飛散防止カバー後端の放熱用開口部と、反射器後端の頂部開口との間の隙間から、より確実に逃がすことができ、且つその飛散防止カバーを取り付け具により反射器に着脱自在に装着するようにしたので、エリプソイダル型又はパラボラ型の反射鏡からなる反射器内に電球のバルブ部が固定されるスポットライトの基本的構造を変更することなく、既存のスポットライトに対しても好適に対応することができる安価な電球飛散防止構造を備えた新規なスポットライトを提供することができた。
【００１９】
（請求項４）
請求項１、２による前述の効果に加え、発光時の電球の熱を、飛散防止カバー後端の放熱用開口部と該カバー後部の放熱用スリットから逃がすことができ、且つその飛散防止カバーを反射器に着脱自在に装着するようにしたので、エリプソイダル型又はパラボラ型の反射鏡からなる反射器内に電球のバルブ部が固定されるスポットライトの基本的構造を変更することなく、既存のスポットライトに対しても好適に対応することができる安価な電球飛散防止構造を備えた新規なスポットライトを提供することができた。
また、飛散防止カバーを反射器に直接装着することができるので、取り付け具などの別部材が不要になり、部品点数の少ないより安価な構造として提供することができる。
【００２０】
（請求項５）
白熱電球を用いるスポットライトにおいて、請求項１〜４による前述の効果を得ることができた。よって、劇場舞台、テレビスタジオ、展示会場、宴会場、アミューズメントパーク等の各種演出空間での使用に適した安全性の高い新規なスポットライトを提供することができた。
【００２１】
（請求項６）
請求項１〜５による効果を得ることができる電球用飛散防止カバーとして、スポットライトやその他の照明器具に好適に用いることができる。
また、飛散防止カバーが円筒体で且つその先端を半球状に閉塞した形状のため、電球から放射される光に影などが生じる虞れを防止し得るなどの効果が期待できる。
【発明を実施するための最良の形態】
【００２２】
以下、本発明に係るスポットライト及び電球用飛散防止カバーの実施形態の一例を図面を参照して説明する。
図１は本例のスポットライトの概要を示す側面図で、図中ａは、ランプハウス１の前方にカッター機構部２を配設すると共に、該カッター機構部２の前方にレンズ筒３を配設してなる灯体を表し、該灯体ａは灯体支持具ｂにより支持されるようになっている。
【００２３】
ランプハウス１は、アルミニウム又はアルミニウム合金、その他の金属材料等で成形されたもので、その内部に、光源となる電球４、該電球４の飛散防止カバー５、後端側に頂部開口６ａを有すると共に前面を開口６ｂする楕円反射鏡からなり電球４の光を前方へ集光する所謂エリプソイダル型の反射器６、ソケット７などが内蔵されている。
【００２４】
カッター機構部２は、ランプハウス１と同質の金属材料等で成形された保持体８をランプハウス１の前面に連結すると共に、その保持体８内に、アパーチャ部を通過する光を任意枠形にカットする所要数のカッター羽根９を、光軸Ｌを囲むよう摺動自在に備え、且つ夫々のカッター羽根９の摺動操作を行うための把手９ａを保持体８の周面に設けたスリット１０から外側に突出させて、灯体ａから照射される光の投影像の照射範囲を任意に調整し得るよう構成されている。
【００２５】
レンズ筒３は、ランプハウス１と同質の金属材料または耐熱プラスチックなどで成形されたもので、前記保持体８の前面に連結されており、その内部に一又は複数（本例では２枚）のレンズ１１ａ，１１ｂが配されている。
【００２６】
レンズ筒３の前面には投光開口部３ａが形成されると共に、その投光開口部３ａにカラーフィルタホルダや金網等を着脱自在に装着するための装着枠１２が形成されている。
【００２７】
図２はランプハウス１の内部構造を示す簡略図で、前半部分に固定された反射器６後端の頂部開口６ａの後方にソケット７が設けられ、そのソケット７に口金部４ａを差し込んだ電球４のバルブ部４ｂが、光軸Ｌと同軸になるよう反射器６内に突出しており、このバルブ部４ｂが、飛散防止カバー５に収容されている。電球４は、例えば５００Ｗ〜１ｋＷ程度の高容量の白熱電球である。
【００２８】
図３，図４には飛散防止カバー５周りの詳細を示す。飛散防止カバー５は、透光性と所定の耐熱性を備えた材料、本例ではガラスにより、電球４のバルブ部４ｂの周囲を覆うことができると共に該電球４の発光時の熱影響を低減し得るよう、バルブ部４ｂよりも大きな内径を有する筒状体で、且つその先端側を閉塞すると共に、後端側は放熱用の開口部５ａとした筒状体に一体成形されている。
本例の飛散防止カバー５は、円筒形状であると共にその先端側を半球状に閉塞するよう一体に成形されているが、角筒形状としたり、先端側を平坦面状に閉塞するよう成形しても良く、その形状は任意である。本例のような形状にした場合、電球４から放射される光に影などが生じる虞れを防止し得るなどの効果が期待できる。
【００２９】
本例の飛散防止カバー５は、取り付け具１３により反射器６に着脱可能に装着されている。
取り付け具１３は、反射器６後端の頂部開口６ａの外端面に沿ってネジ等で固定される台座１３ａと、その台座１３ａの内端から反射器６内に向けて立ち上がる所要数の取り付け片１３ｂと、各取り付け片１３ｂに設けた係止爪１３ｃ及び１３ｄを備え、各係止爪１３ｃ，１３ｄにより飛散防止カバー５を係脱自在に保持するよう形成されている。
台座１３ａは、反射器６の頂部開口６ａの外端面とほぼ同径のドーナツ形に形成され、その内端周方向に沿って、所定間隔毎に複数（図４では等間隔ごとに３本）の取り付け片１３ｂが起立状に連設されている。
取り付け片１３ｂは、弾性を有するよう所望の厚さをもって形成され、反射器６の頂部開口６ａに挿入されてその内周に弾性的に圧接すると共に、反射器６内に突出する部分は外側へ拡開して、各取り付け片１３ｂのぶれを防止すると共に、係止爪１３ｃ，１３ｄの飛散防止カバー５への係脱が容易に行えるよう形成されている。
係止爪１３ｃは、各取り付け片１３ｂの先端を内側に折り曲げて、飛散防止カバー５の後部に設けた係止孔５ｂに係脱自在に挿入し得るよう形成されており、取り付け片中途部に突設され飛散防止カバー５後端の放熱用の開口部５ａに当接する係止片１３ｄと共に、飛散防止カバー５を着脱自在に保持するようになっている。
各係止爪１３ｃ，１３ｄと係止孔５ｂは、飛散防止カバー５後端の開口部５ａと、反射器６後端の頂部開口６ａとの間に放熱用の隙間Ｓが確保されるよう形成されている。
【００３０】
このような構成になる本例のスポットライトは、ソケット７に電球（白熱電球）４を装着すれば、該電球４のバルブ部４ｂが、反射器６の頂部開口６ａに固定された取り付け具１３で装着される飛散防止カバー５に収容された状態で使用される。使用中、電球４が破裂したとしても、その破片は、３ｍｍ以下の微細な破片も含めて飛散防止カバー５に捕捉されるので、投光開口部３ａやカッター羽根摺動用のスリット１０などから外部へ飛散する虞れはない。
また、使用中、電球４の熱を飛散防止カバー５後端の放熱用の開口部５ａと、反射器６後端の頂部開口６ａとの間の隙間Ｓから効率良く逃がして、その熱影響を低減することができる。
よって、劇場舞台、テレビスタジオ、展示会場、宴会場、アミューズメントパーク等の各種演出空間において、所望の演出照明を得ると共に、万一電球４が破裂したとしても、その破片が灯体ａの外部に飛散する虞れのない、安全性の高いスポットライトを提供することができた。
また、反射器６後端の頂部開口６ａに取り付ける取り付け具１３を介して、反射器６内に飛散防止カバー５を着脱自在に装着するようにしたので、スポットライトの基本的構造を変更することなく、既存のスポットライトに対しても容易に装着することが可能な、安価な電球飛散防止構造を備えた新規なスポットライトとすることができた。
【００３１】
図５，図６には、前述した実施形態における飛散防止カバー５と、飛散防止カバー５の反射器６に対する取り付け構造の変形例を示し、それ以外の構成要素は前記実施形態と同様のため、重複する図示及び説明を一部省略し、変更点のみ以下に説明する。
この例の飛散防止カバー５’は、基本的には前述の飛散防止カバー５と同様に形成されるものであるが、取り付け具１３などを介さず直接反射器６に装着し得るようになっている。
すなわち、この飛散防止カバー５’は、その後部を反射器６後端の頂部開口６ａに嵌合状に挿入可能なよう延長した縮径部５１を備えており、該縮径部５１を頂部開口６ａに挿入して反射器６に着脱自在に装着されている。また、縮径部５１の反射器６内に臨む部位には放熱用のスリット５２が複数形成されている。
【００３２】
この例のスポットライトは、ソケット７に電球（白熱電球）４を装着すれば、該電球４のバルブ部４ｂが、反射器６の頂部開口６ａに装着した飛散防止カバー５’に収容された状態で使用される。使用中、電球４が破裂したとしても、その破片は、３ｍｍ以下の微細な破片も含めて飛散防止カバー５’に捕捉されるので、投光開口部３ａやカッター羽根摺動用のスリット１０などから外部へ飛散する虞れはない。
また、使用中、電球４の熱を飛散防止カバー５’後端の放熱用の開口部５ａと各スリット５２から効率良く逃がして、その熱影響を低減することができる。
よって、劇場舞台、テレビスタジオ、展示会場、宴会場、アミューズメントパーク等の各種演出空間において、所望の演出照明を得ると共に、万一電球４が破裂したとしても、その破片が灯体ａの外部に飛散する虞れのない、安全性の高いスポットライトを提供することができた。
また、反射器６の頂部開口６ａに、取り付け具１３などを別途介することなく、飛散防止カバー５’を直接着脱自在に装着するようにしたので、スポットライトの基本的構造を変更することなく、既存のスポットライトに対しても容易に装着することが可能な、より安価な電球飛散防止構造を備えた新規なスポットライトとすることができた。
【００３３】
以上、本発明に係るスポットライト及び電球用飛散防止カバーの実施形態の例を図面を参照して説明したが、本発明は図示例に限定されるものではなく、特許請求範囲の各請求項に記載された技術的思想の範疇において種々の変更が可能であることは言うまでもない。
【図面の簡単な説明】
【００３４】
【図１】本発明の実施形態の一例を示す側面図。
【図２】ランプハウス部分の拡大断面図。
【図３】図２の要部拡大断面図。
【図４】飛散防止カバーの拡大斜視図。
【図５】本発明の実施形態の他例を示す要部拡大断面図。
【図６】飛散防止カバーの拡大斜視図。
【符号の説明】
【００３５】
ａ：灯体
１：ランプハウス
２：カッター機構部
３：レンズ筒
４：電球（白熱電球）
５，５’：飛散防止カバー
５ａ：放熱用の開口部
５１：縮径部
５２：放熱用のスリット
６：反射器
６ａ：反射器後端の頂部開口
７：ソケット
１１ａ，１１ｂ：レンズ
Ｓ：放熱用の隙間
【図１】
2005166407.tif 000003
【図２】
2005166407.tif 000004
【図３】
2005166407.tif 000005
【図４】
2005166407.tif 000006
【図５】
2005166407.tif 000007
【図６】
2005166407.tif 000008